(57)【特許請求の範囲】
【請求項１】
有底中空円筒状で内部に空洞部と前記空洞部から延在し並設された複数の洗浄口を有するアウターノズルと、
前記アウターノズルの軸方向に前記空洞部から延びる中空部内に沿って前記空洞部内を移動し、内部に洗浄水を前記洗浄口へ供給する供給部を有するインナーノズルと、
前記アウターノズルと前記インナーノズルとの間に設けられた第１シール部材と、
前記アウターノズル及び前記インナーノズルを進退させる駆動手段とを備え、
前記インナーノズルと連動して前記空洞部内を摺動し、並設された前記洗浄口の開閉量を調整する摺動部材を有し、
前記洗浄口は、前記空洞部の先端に設けられ、進退方向の前方に位置する第１洗浄口と後方に位置する第２洗浄口とを有し、
前記第１シール部材は、前記摺動部材と、前記空洞部の内壁とによって挟持されることで軸方向をシールする人体洗浄装置。
【請求項２】
前記空洞部内は、前記第１洗浄口と連通する第１空洞部と前記第２洗浄口と連通する第２空洞部とを有し、前記摺動部材が前記第１空洞部より容積の大きい前記第２空洞部内を摺動する請求項１に記載の人体洗浄装置。
【請求項３】
前記摺動部材は、前記空洞部の径方向をシールする第２シール部材が設けられている請求項１または請求項２に記載の人体洗浄装置。
【請求項４】
前記第１シール部材と前記第２シール部材とは、一体となり、前記摺動部材を被覆するように設けられている請求項３に記載の人体洗浄装置。
【発明の詳細な説明】
【技術分野】
【０００１】
本発明は、人体の局部洗浄を広範囲で行うことができる人体洗浄装置に関するものである。
【背景技術】
【０００２】
従来の便器に取り付けられた人体洗浄装置は、人体の局部洗浄を広範囲に行う際、洗浄ノズルを振動させることによって洗浄範囲の拡大を行う装置や水圧の強弱を制御することによって広範囲の洗浄を行う装置が、特許文献１に開示されている。
【０００３】
この特許文献１で人体洗浄装置は、先端の噴出孔から洗浄水を噴出して人体の局部を洗浄するノズル装置と、このノズル装置を振動させる振動手段及び振動手段の振動パターンを制御する制御装置とで構成されている。このノズル装置は、振動手段により生じるノズルの振動の振幅を可変することで洗浄面積を可変することが可能となっている。このノズルの振幅を可変することによって、人体の局部洗浄を広範囲で行うことができる。更に、ノズル内を摺動し、空気孔を断続的に開閉する振動子を設けることで、空気を取り入れることが可能となる。
【先行技術文献】
【特許文献】
【０００４】
【特許文献１】特開２００５−１８００７８号公報
【発明の概要】
【発明が解決しようとする課題】
【０００５】
上記した特許文献１の人体洗浄装置は、ノズルの振動や水圧の制御によって擬似的に人体局部の広範囲に洗浄を行っている。このように擬似的に広範囲へ洗浄を行っているため、使用者は一度に局部全体を洗浄することが困難である。また、洗浄部分では、断続的に洗浄水が人体局部に当たることで断続的に流量感が変化する。このため、使用者は満足できる流量感を得られないおそれがある。よって、使用者は、人体の局部洗浄時に一定の流量感を伴った広範囲洗浄を切替えて選択することができない。また、ノズル内を摺動し、空気孔を断続的に開閉する振動子のようなもので洗浄範囲を調整する場合は、ノズルと振動子との間のシール性を高める必要がある。特許文献１の振動子では、シール構造が設けられていないため、人体洗浄装置は、動作部分に洗浄水が侵入し、ノズル動作に不具合が発生するおそれがある。
【０００６】
そこで、本発明は、使用者が人体の局部を洗浄する範囲を調整する際に、洗浄水の侵入によるノズルの動作不具合を抑制できる人体洗浄装置を提供する。
【課題を解決するための手段】
【０００７】
上記の課題を解決するために講じた手段は、有底中空円筒状で内部に空洞部と空洞部から延在し並設された複数の洗浄口を有するアウターノズルと、アウターノズルの軸方向に空洞部から延びる中空部内に沿って空洞部内を移動し、内部に洗浄水を前記洗浄口へ供給する供給部を有するインナーノズルと、アウターノズルとインナーノズルとの間に設けられた第１シール部材と、アウターノズル及びインナーノズルを進退させる駆動手段とを備え、インナーノズルと連動して空洞部内を摺動し、並設された洗浄口の開閉量を調整する摺動部材を有し、洗浄口は、空洞部の先端に設けられ、進退方向の前方に位置する第１洗浄口と後方に位置する第２洗浄口とを有し、第１シール部材は、摺動部材と、空洞部の内壁とによって挟持されることで軸方向をシールする構成となっている。
【０００９】
また、空洞部内は、第１洗浄口と連通する第１空洞部と第２洗浄口と連通する第２空洞部とを有し、摺動部材が第１空洞部より容積の大きい第２空洞部内を摺動すると良い
また、摺動部材は、前記空洞部の径方向をシールする第２シール部材が設けられていると良い。
【００１０】
そして、第１シール部材と第２シール部材とは、一体となり、摺動部材を被覆するように設けられていると良い。
【発明の効果】
【００１１】
本発明によれば、この人体洗浄装置は、アウターノズル３０内をインナーノズル４０を摺動させることで、人体局部の洗浄する範囲を調整し、洗浄ノズルの軸方向へシールするシール部材を設けることで、洗浄口の範囲を調整する際に摺動部材と空洞部との摺動による摩擦を抑制し、シール部材の摩耗に対する耐久性を向上することができる。更に、人体洗浄装置は、空洞部の内壁と摺動部材との当接により、シール部材の弾性変形が効率よく発生できるため強固なシール性を確保できる。これにより、人体洗浄装置は、洗浄口を調整する際の動作部分に洗浄水が侵入し、ノズル動作に不具合が発生するのを抑制することができる。
【００１２】
この人体洗浄装置は、第１洗浄口を通常範囲の洗浄、第２洗浄口を広範囲の洗浄とすることで、使用者の好みにあった広さでの洗浄が可能であり、広範囲洗浄時には一定の流量を保持した洗浄もできる。
【００１３】
更に、人体洗浄装置は、空洞部を第１空洞部と第２空洞部とを設け、それぞれの空洞部に第１洗浄口と第２洗浄口を配設することで、洗浄範囲の調整を明確にできる。第２空洞部内を摺動部材が摺動するため、進退方向の前方に位置する第１空洞部は常に通常洗浄できる状態であり、広範囲洗浄を行う際には第２洗浄口の調整のみで洗浄範囲を調整することが可能となる。また、第１空洞部と第２空洞部は容積が異なる構成とすれば、通常洗浄の際は、第２空洞部よりも容積の小さい第１空洞部の第１洗浄口から吐出される洗浄水の水圧が十分に確保でき、広範囲洗浄の際は、容積が大きくなることで水圧が低下しても洗浄水の水量が増すことができ、人体洗浄装置は使用者に快適な洗浄を提供することができる。
【００１４】
また、人体洗浄装置は、摺動部材に空洞部の径方向をシールする第２シール部材が設けられていることで、摺動部材と空洞部との間をシールすると同時に洗浄口を塞ぐことが可能であるため、シール性が向上し、洗浄範囲の微調整を行うことできる。
【００１５】
また、人体洗浄装置は、第１シール部材と第２シール部材が一体に成形され、摺動部材を被覆するように設けられているため、シール性及び摺動摩耗に対しての耐久性を向上させる。
【図面の簡単な説明】
【００１６】
【図１】本発明の人体洗浄装置を便器に取り付けた場合の斜視図である。
【図２】本発明の実施形態における洗浄時の人体洗浄装置の側面図である。
【図３】図２に示すアウターノズルとインナーノズルとの動作を示す説明図である。
【図４】図３に示す空洞部と摺動部材との間のシール部材の変形図であり、（a）本実施形態、（b）変形例１、（ｃ）変形例２、（ｄ）変形例３である。
【図５】人体洗浄装置の洗浄ノズルのアウターノズル及びインナーノズルの移動を規制するラッチ機構の構成図である。
【図６】人体洗浄装置の収納位置での洗浄ノズルとラッチ機構との関係の説明図であり、（ａ）収納位置での洗浄ノズルの状態図、（ｂ）収納位置でのラッチ機構の状態図である。
【図７】人体洗浄装置の最延位置での洗浄ノズルとラッチ機構との関係の説明図であり、（ａ）最延位置での洗浄ノズルの状態図、（ｂ）最延位置でのラッチ機構の状態図である。
【発明を実施するための形態】
【００１７】
以下、本発明の実施形態に係わる人体洗浄装置１の構成について図１及び図２を参照にして説明する。図１は、人体洗浄装置１を便器２に取り付けた場合の斜視図を示し、図２は、洗浄時の人体洗浄装置１の側面図を示している。
【００１８】
この人体洗浄装置１は、図１及び図２で示すとおり、便座３が回動可能となる本体ハウジング１０が便器２に取り付けられており、本体ハウジング１０内に配設された本体部２０と、局部の洗浄を行う洗浄ノズルであるアウターノズル３０及びインナーノズル４０と、この洗浄ノズルを駆動する駆動手段（アウターノズル３０及びインナーノズル４０を進退運動させる駆動機構５０と、アウターノズル３０及びインナーノズル４０とを連結状態にするラッチ機構６０）とを備えている。この駆動機構５０は、アウターノズル３０の下面に設けられたラック５１とアウターノズル３０を支持する本体部２０に取り付けられたモータ５２によって回転するピニオン４３とが噛み合うことで洗浄ノズルを洗浄位置まで前進させる。この洗浄位置は、人体の局部洗浄に適した位置であり、洗浄ノズルが洗浄位置まで到達すると洗浄が行なわれる。更に、このモータ５２は、例えば、パルス波による制御によって前進方向及び後退方向の両方向に回転可能であるため、洗浄ノズルは進退方向のどちらにおいても移動可能である。また、洗浄範囲は、駆動機構５０によってアウターノズル３０とインナーノズル４０との位置調整を行うことで、アウターノズル３０に設けられた複数の洗浄口の開閉量を調整することで変更される。アウターノズル３０及びインナーノズル４０の後方部分には、洗浄ノズルのアウターノズル３０及びインナーノズル４０が洗浄位置まで一定の状態を保持して動作することや洗浄範囲の調整を行うためにアウターノズル３０とインナーノズル４０の位置関係を調整及び保持するラッチ機構６０が設けられている。
【００１９】
次に、本発明の実施形態における人体洗浄装置１の動作について図３を参照して説明する。図３は、図２に示すアウターノズル３０とインナーノズル４０との動作を示す説明図を示している。
【００２０】
図３（ａ）は、洗浄ノズル（アウターノズル３０とインナーノズル４０の総称）が収納されている状態を示している。洗浄ノズルのインナーノズル４０は、洗浄ノズルの進退方向と垂直方向に突出する突部４１を有し、この突部４１が本体部２０に設けられた摺動部２１を摺動する。更に、摺動部２１は、両端に設けられた第１係止部２１ａ及び第２係止部２１ｂによって突部４１が係止されることで、インナーノズル４０の移動範囲が規制される構造となっている。アウターノズル３０は、洗浄水を吐出する複数の洗浄口３１が並設され、先端側の洗浄口３１を第１洗浄口３１ａとし、後方の洗浄口３１を第２洗浄口３１ｂとする。更に、アウターノズル３０は、有底中空円筒状の空洞部３２を有しており、この空洞部３０は、第１洗浄口３１ａと連通する先端側の第１空洞部３２ａと、第２洗浄口３１ｂと連通し、第１空洞部３２ａよりも径の大きな第２空洞部３２ｂとが設けられており、第１空洞部３２ａ及び第２空洞部３２ｂが連通している。更に、アウターノズル３０には、インナーノズル４０が摺動する中空部３３が第２空洞部３２ｂと連通している。インナーノズル４０には、インナーノズル４０の動きと連動して第２空洞部３２ｂ内を摺動する摺動部材４２と洗浄水を供給する中空状の供給部４３とが設けられている。この摺動部材４２は、第２空洞部３２ｂと軸方向でも当接する。第２空洞部３２ｂには、摺動部材４２と当接する内壁３４を有し、第１空洞部３２ａ側で当接する第１内壁３４ａと中空部３３側の当接する第２内壁３４ｂとが設けられている。この摺動部材４２と第２空洞部３２ｂの第１内壁３４ａ及び第２内壁３４ｂとの間にはシール部材７０（例えば弾性部材）が設けられており、このシール部材７０が、第２空洞部３２ｂの軸方向をシールする構造となっている。また、本実施形態のシール部材７０は、第２空洞部３２ｂの軸方向をシールする第１シール部材７１と、第２空洞部３２ｂの径方向についてもシールする第２シール部材７２とが一体に成形され、摺動部材４２を被覆するように設けられている。このシール部材７０は、第２空洞部内３２ｂの内壁３４と摺動部材４２とに挟持されることで、例えば弾性変形するために内壁３４と摺動部材４２とに生じる隙間を埋めることが可能となる。アウターノズル３０とインナーノズル４０の構造から、第１洗浄口３１ａは常に流体を吐出可能にし、第２洗浄口３１ｂが塞がれた通常の洗浄範囲の状態を保っている。アウターノズル３０には、洗浄水へと空気を送り込む空気供給口３５が設けられている。この空気供給口３５は、インナーノズル４０に設けられた複数の吸気孔４４と連通することで洗浄水に空気を送り込むのを可能としている。
【００２１】
図３（ｂ）は、洗浄位置での洗浄ノズルを示している。この時、アウターノズル３０とインナーノズル４０が駆動機構５０及びラッチ機構６０によって、アウターノズル３０とインナーノズル４０は洗浄位置まで一体となって前進する。この洗浄位置まで前進させるとき、モータ５２に取り付けられたピニオン５３が、アウターノズル３０の下面に設けられたラック５１と噛合することで洗浄ノズルが移動する。そして、アウターノズル３０とインナーノズル４０とを連結するラッチ機構６０によって、アウターノズル３０とインナーノズル４０とが一体となって移動する。これにより、アウターノズル３０とインナーノズル４０との位置関係がずれないために、通常の洗浄範囲を保って前進できる。また、通常時の洗浄位置は、第１洗浄口３１ａの中心と同軸とし、インナーノズル４０の突部４１が本体部２０の第１係止部２１ａに係止されることで定められている。
【００２２】
図３（ｃ）は、通常洗浄から広範囲の洗浄への調節（最大の位置）を示している。通常の洗浄から広範囲の洗浄を行うには、図３（ｂ）の状態から、駆動機構５０によって洗浄ノズルを前進させる。この時、インナーノズル４０は、突部４１が第１係止部２１ａに係止されているために移動することができない。これにより、アウターノズル３０のみが前進するので、インナーノズル４０によって塞がれていた第２洗浄口３１ｂ開放されて流体を吐出できるようになり、広範囲の洗浄が可能となる。
【００２３】
図３（ｄ）は、広範囲洗浄の場合の洗浄位置を示している。図３（ｃ）で洗浄範囲を広範囲にすることができたが、アウターノズル３０のみが前進するので、第１洗浄口３１ａ及び第２洗浄口３１ｂから成る洗浄口３１の洗浄位置（洗浄部分の中心）がずれることとなる。このため、駆動機構５０は、第１洗浄口３１ａ及び第２洗浄口３１ｂの中心位置が洗浄位置まで到達するように洗浄ノズルを後退させることで位置の調整を行う。この時、ラッチ機構６０によってアウターノズル３０とインナーノズル４０とが一体となって後退するために、洗浄ノズルは、広範囲の洗浄範囲を保って洗浄位置まで移動することができる。
【００２４】
図３（ｅ）は、洗浄ノズルの収納が完了する前の状態を示している。広範囲の洗浄終了後に、駆動機構５０は洗浄ノズルを収納位置まで後退させる。この時、ラッチ機構６０によってアウターノズル３０とインナーノズル４０とが一体となって後退するが、インナーノズル４０の突部４１が、アウターノズル３０よりも先にインナーノズル４０が収納位置に到達する摺動部分の第２係止部２１ｂに係止される。
【００２５】
そして、図３（ｆ）は洗浄ノズルが収納されている状態を示している。インナーノズル４０が係止された後、駆動機構５０によってアウターノズル３０のみを後退させることで、洗浄口３１は、第２洗浄口３１ｂをインナーノズル４０の摺動部材４２によって塞がれる。これにより、アウターノズル３０とインナーノズル４０は、洗浄口３１を通常洗浄が可能な状態で収納される。
【００２６】
本実施形態では、空洞部３２の第１空洞部と第２空洞部は容積が異なる構成であるため、通常洗浄の際は、第２空洞部よりも容積の小さい第１空洞部の第１洗浄口から吐出される洗浄水の水圧が十分に確保でき、広範囲洗浄の際は、容積が大きくなることで水圧が低下しても洗浄水の水量が増すことができ、人体洗浄装置は使用者に快適な洗浄を提供することができる。
【００２７】
次に、本発明の実施形態の空洞部３２と摺動部材４２とでシールするシール部材７０について図４を参照して説明する。図４は、図３に示す空洞部３２と摺動部材４２との間のシール部材７０の説明図であり、（ａ）本実施形態、（ｂ）変形例１、（ｃ）変形例２、（ｄ）変形例３を示している。
【００２８】
（本実施形態）
図４（ａ）より、本実施形態は、上記したように、シール部材７０が摺動部材４２と第２空洞部３２ｂの第１内壁３４ａ及び第２内壁３４ｂとの間に設けられており、このシール部材７０が、第２空洞部３２ｂの軸方向をシールする構造となっている。また、シール部材７０は、第２空洞部３２ｂの軸方向をシールする第１シール部材７１と、第２空洞部３２ｂの径方向についてもシールする第２シール部材７２とが一体に成形され、摺動部材４２を被覆するように設けられている。このようにシール部材７０が、第２空洞部３２ｂの軸方向及び径方向の両方向をシールすることで、第２洗浄口３１ｂが複数の吐出口によって構成されている場合は、軸方向及び径方向の両方向に対して動作不具合となる中空部３３への洗浄水の侵入を抑制できるため、洗浄範囲をより細かく調整が可能となる。更に、第１シール部材７１及び第２シール部材７２を一体に成形することで、部品点数の削減が可能となる。また、摺動部材４２にシール部材７０を取り付ける際には、摺動部材４２を被覆するため、摺動部材４２がシール部材７０を取り付ける構造（取り付ける溝や穴等）を必要とせずに取り付けが可能となる。また、シール部材７０が、摺動部材４２を被覆することで軸方向及び径方向の両方向から加わる力が分散されるため、摺動による摩耗に対しての耐久性を向上させることができる。
【００２９】
（変形例１）
図４（ｂ）より、変形例１は、シール部材１７０が第１内壁３４ａ及び第２内壁３４ｂに埋め込まれるようにして、内壁３４の表面上にシール部材１７０が表れるように設けられている。このようなシール構造は、シール部材１７０が軸方向をシールする第１シール部材１７１のみで構成されている。摺動部材４２が内壁３４に設けられた第１シール部材１７１と当接することで、第１シール部材１７１は、弾性変形するために内壁３４及び摺動部材４２に生じる隙間を埋めることが可能となる。
【００３０】
（変形例２）
図４（ｃ）より、変形例２は、第２空洞部３２ｂの第１内壁３４ａ側及び第２内壁３４ｂ側にＯリング状の第１シール部材２７１が設けられている。また、この第１シール部材７１が、第２空洞部３２ｂの径方向の内周に少なくとも対向する２点で当接するような形状とすることで、位置決めを行うことが可能となる。更に、Ｏリング状の第１シール部材２７１は、第１空洞部３２ａの径方向の外周よりも広い径であれば、内壁３４及び摺動部材４２に生じる隙間を弾性変形によって埋めることが可能となる。
【００３１】
（変形例３）
図４（ｄ）より、変形例３は、摺動部材４２の軸方向の両側に第１内壁３４ａ及び第２内壁３４ｂと当接するような軸方向をシールする第１シール部材３７１が埋め込まれるようにして設けられている。摺動部材４２に設けられた第１シール部材３７１が内壁３４と当接することで、第１シール部材３７１は、弾性変形するために内壁３４及び摺動部材４２に生じる隙間を埋めることが可能となる。
【００３２】
変形例１から変形例３は、径方向をシールする第２シール部材７２が第２空洞部３２ｂと摺動部材４２とが摺動することで摩耗するおそれがあるため、洗浄範囲を調整を本実施形態で可能な第２洗浄口３１ｂの細かな調整をすることなく洗浄範囲を規制するため軸方向のシールの第１シール部材７１のみを設ける構造としている。ただし、変形例１から変形例３は、第２シール部材７２を摺動部材４２に設けることも可能である。よって、第２シール部材７２を設ける場合は、第２空洞部３２ｂと摺動部材４２の軸方向及び径方向のシールが可能であるため、複数の吐出口を備えた第２洗浄口３１ｂの細かな調整が可能となる。
【００３３】
次に、本発明の実施形態におけるラッチ機構６０について図５から図７を参照して説明する。図５は、図１に示す人体洗浄装置の洗浄ノズルのアウターノズル３０及びインナーノズル４０とを連結するラッチ機構６０の構成図を示している。図６は、人体洗浄装置１の収納位置での洗浄ノズルとラッチ機構６０との関係の説明図であり、（ａ）収納位置での洗浄ノズルの状態図、（ｂ）収納位置でのラッチ機構の状態図を示し、図７は、人体洗浄装置１の最延位置での洗浄ノズルとラッチ機構６０との関係の説明図であり、（ａ）最延位置での洗浄ノズルの状態図、（ｂ）最延位置でのラッチ機構の状態図を示している。
【００３４】
図５より、ラッチ機構６０は、洗浄ノズルの後方に設けられ、アウターノズル３０及びインナーノズル４０が一体となって動くとともに、洗浄範囲の調整の際には、洗浄ノズルの移動を規制して通常洗浄の状態及び広範囲洗浄の状態を保持する構造となっている。ラッチ機構６０は、アウターノズル３０の後方で軸方向へ延びる長手の溝６１が設けられ、溝６１内を摺動する調整部６２がインナーノズル４０に設けられている。この溝６１は、調整部６２が摺動する摺動面６３に、調整部６２の摺動方向に垂直な凹部６４が設けられている。この調整部６２には、突状の係合部６２ａが形成されている。また、この凹部６４の両端には、摺動方向に垂直な面を形成し、前方の第１系止面６４ａ及び後方の第２係止面６４ｂによって調整部６２の移動範囲を規制している。この凹部６４には、凹部６４内に設けられ、前方の第１系止面６４ａに近設し、緩やかな傾斜を有する第１凸部６４ｃと、後方の第２系止面６４ｂに近設し、緩やかな傾斜を有する第２凸部６４ｄとを設けている。更に、この凹部６４は、第１系止面６４ａと第１凸部６４ｃとによって形成され、調整部６２の係合部６２ａの移動を規制する第１被係合部６５ａと、第２系止面６４ｂと第２凸部６４ｄとによって形成され、調整部６２の係合部６２ａの移動を規制する第２被係合部６５ｂとを備えている。
【００３５】
図６より、洗浄ノズルのアウターノズル３０及びインナーノズル４０が通常の洗浄範囲であるとき、調整部６２の係合部６２ａは、第１被係合部６５ａによって動きが規制されている。洗浄ノズルが前進していくと、アウターノズル３０及びインナーノズル４０が係合部６２ａと、第１被係合部６５ａとによって連結された状態となっているため一体となって通常の洗浄範囲を保持して洗浄位置まで移動することが可能となる。
【００３６】
図７より、洗浄ノズルのアウターノズル３０及びインナーノズル４０が広範囲の洗浄を行うとき、インナーノズル４０の突部４１が本体部２０の第１係止部２１ａに係止されることでアウターノズル３０のみが前進する。このとき、調整部６２の係合部６２ａが、第１被係合部６５ａの第１凸部６４ｃを乗り越える。更に、このアウターノズル３０が前進していくと、係合部６２ａは第２凸部６４ｄを乗り越え、第２被係合部６５ｂの第２係止面６４ｂに当接して係止される。これにより、洗浄ノズルは、広範囲の洗浄であるアウターノズル３０とインナーノズル４０との位置関係を保持したまま洗浄位置へと後退することが可能となる。
【００３７】
なお、本発明は前記実施形態に限定されるものではなく、以下に示す態様に変更してもよい。
【００３８】
・アウターノズル３０の空洞部３１の形状は円筒状に限定されることなく、多角形状であっても良い。
【００３９】
・空気供給口３５は、移動方向に長軸を持ち、吸気孔４４の移動範囲と同様な１つの口が設けられていても良い。
【００４０】
・人体洗浄装置１の洗浄範囲は、駆動機構５０のモータ５２の回転方向と回転数を制御することによって、アウターノズル３０とインナーノズル４０を細かく多段階の洗浄範囲に切り替えることが可能な構造でも良い。
【００４１】
・アウターノズル３０の空洞部３１は、第１空洞部３１ａ及び第２空洞部３１ｂが同一の径である場合、摺動部材４２は、第１空洞部３１ａ及び第２空洞部３１ｂ内を摺動しても良い。この時、シール部材７０が本実施形態のようなものであれば、軸方向及び径方向の両方向の隙間に対してシールが可能であるため、上記のような空洞部においてもシール性を確保することが可能である。よって、人体洗浄装置は、通常範囲及び広範囲の洗浄の微調整が本実施形態よりも細かく調整することが容易となる。
【符号の説明】
【００４２】
１  人体洗浄装置
２０  本体部
３０  アウターノズル
３１  洗浄口
３１ａ  第１洗浄口
３１ｂ  第２洗浄口
３２  空洞部
３２ａ  第１空洞部
３２ｂ  第２空洞部
３３  中空部
３４  内壁
４０  インナーノズル
４２  摺動部材
４３  供給部
５０  駆動機構（駆動手段）
６０  ラッチ機構（駆動手段）
７０  シール部
７１  第１シール部材
７２  第２シール部材
【図１】
0005671998.tif 000002
【図２】
0005671998.tif 000003
【図３】
0005671998.tif 000004
【図４】
0005671998.tif 000005
【図５】
0005671998.tif 000006
【図６】
0005671998.tif 000007
【図７】
0005671998.tif 000008